(57)【特許請求の範囲】
【請求項１】
通常は多数の者が着座することのできるソファを形成するとともに、場合によってはベッドにも展開させることのできるようにしたソファベッドにおいて、所定の長さの水平部を有するものであって、その水平部のところに転動輪からなる複数のローラを有するベースフレームと、当該ベースフレーム上に設けられるものであって、縦断面形態がＬ字状の形態からなるとともに、当該Ｌ字状断面形態を形成する水平部のところが上記ベースフレームに設けられたローラ上を水平移動することのできるように形成された座部フレームと、当該座部フレームを形成する水平部の一方の端部側に形成される縦壁部のところに設けられるものであって、上記ベースフレームの縦壁部に設けられた係合部と係合するように形成されたロック機構と、上記ベースフレームの一方の側面部のところに設けられるものであって衝立状の形態からなる背もたれパネルと、上記ベースフレームの一方の端部側に設けられるものであって所定のクッション体を保持するとともにアームレストの役目も果たす肘掛けパネルと、上記座部フレーム上に設置されるものであって、その長手方向所定個所において直角状に折り曲げることの可能なように形成された関節部を有するとともに、所定の発泡弾性部材にて形成される座部クッション体と、上記背もたれパネルのところに立て掛けられた状態で配置されるとともに上記座部クッション体上の適宜個所にも配置される場合のある背もたれクッション体と、からなるようにしたことを特徴とするソファベッド。
【請求項２】
請求項１記載のソファベッドにおいて、上記関節部を、上記座部クッション体を形成する表張材及び発泡弾性部材を二分割するとともに、上記二分割された表張材のみを継ぎ合せし、これら二分割されたそれぞれの座部クッション体の基礎となる芯材のところにヒンジ機構を設け、当該ヒンジ機構を形成する一方のプレート側にその一端が取付けられるとともに、もう一方の端部が二つの座部クッション体の、それぞれの表張材の上記継ぎ合せ部のところに取付けられる弾性ストラップを設けるようにした構成からなることを特徴とするソファベッド。
【請求項３】
請求項１記載のソファベッドにおいて、上記ロック機構を、上記ベースフレームの縦壁部のところに設けられるものであって係合部を形成する係合フックと、当該係合フックと係合するものであって、上記座部フレームの縦壁部のところに設けられるとともに上記係合フックの一部をはさみ込むように作動する把持爪と、当該把持爪に所定の把持力を付与するアクチュエータと、当該アクチュエータによる上記把持爪への把持力を解放させるように作動するプランジャと、当該プランジャのところに設けられるものであって当該プランジャに所定のバネ反力を付与するスプリングと、上記プランジャの一端側に設けられるものであって操作者の手指にての操作が可能なように形成されるプッシュボタンと、からなるようにしたことを特徴とするソファベッド。
【発明の詳細な説明】
【技術分野】
【０００１】
本発明は、通常はソファとして複数人の着座が可能なように形成された座部を有するとともに、場合によっては、座部を延伸させてベッドとしても利用することができるようにしたベッド兼用のソファ、すなわち、ソファベッドに関するものである。
【背景技術】
【０００２】
従来の、この種のものとしては、例えば特開平８−１９６３８７号公報（特許文献１）または特開２０１０−１７４７９号公報（特許文献２）記載のもの等が挙げられる。
【先行技術文献】
【特許文献】
【０００３】
【特許文献１】特開平８−１９６３８７号公報
【特許文献２】特開２０１０−１７４７９号公報
【発明の概要】
【発明が解決しようとする課題】
【０００４】
ところで、上記従来のもの、例えば特許文献１記載のものは、座部クッション体の下側に予め設置された脚部クッション体を必要時に引張り出して、ベッドとしての着床部を形成させるようにしているものである。なお、このような脚部クッション体の引き出された状態において、上記座部クッション体との連結部周りに段差のない面一状態を形成させるためには、上記引出及び収納機構は複雑なリンク機構を必要とし、全体の構成が重厚長大とならざるを得ない。その結果、装置全体が高コストとならざるを得ないと言う問題点を有する。また、特許文献２記載のものは、椅子（ソファ）状態において背もたれ部を形成する部分が座面上をオーバハングするように１８０°展開移動することによって、上記座面と上記背もたれ部の下端面とにてベッドとしての着床面（ベッド面）が形成されるようになっている。そして、このようなベッド面の形成は背もたれ部の下端部近傍に設けられたヒンジ機構の回転中心点を支点にした回転運動にて行われるようになっているものである。従って、この特許文献２記載のものも、椅子（ソファ）からベッドへの展開機構はその構成が複雑なものとなり、全体的には、上記特許文献１記載のものと同様、重厚長大な構造のものとならざるを得ない。このような問題点を解決するために、構造が簡単で、椅子（ソファ）の状態からベッドの状態へとワンタッチ操作にて容易に変換させることのできるようにした、ソファベッドを提供しようとするのが、本発明の目的（課題）である。
【課題を解決するための手段】
【０００５】
上記課題を解決するために、本発明においては次のような手段を講ずることとした。すなわち、請求項１記載の発明である第一の発明においては、通常は多数の者が着座することのできる椅子（ソファ）を形成するとともに、場合によってはベッドにも展開させることのできるようにしたソファベッドに関して、所定の長さの水平部を有するものであって、その水平部のところに転動輪からなる複数のローラを有するベースフレームと、当該ベースフレーム上に設けられるものであって、縦断面形態がＬ字状の形態からなるとともに、当該Ｌ字状断面形態を形成する水平部のところが上記ベースフレームに設けられたローラ上を水平移動することのできるように形成された座部フレームと、当該座部フレームを形成する水平部の一方の端部側に形成される縦壁部のところに設けられるものであって、上記ベースフレームの縦壁部に設けられた係合部と係合するように形成されたロック機構と、上記ベースフレームの一方の側面部のところに設けられるものであって衝立状の形態からなる背もたれパネルと、上記ベースフレームの一方の端部側に設けられるものであって所定のクッション体を保持するとともにアームレストの役目も果たす肘掛けパネルと、上記座部フレーム上に設置されるものであって、その長手方向所定個所において直角状に折り曲げることの可能なように形成された関節部を有するとともに、所定の発泡弾性部材にて形成される座部クッション体と、上記背もたれパネルのところに立て掛けられた状態で配置されるとともに上記座部クッション体上の適宜個所にも配置される場合のある背もたれクッション体と、からなるようにした構成を採ることとした。
【０００６】
次に、請求項２記載の発明である第二の発明においては、請求項１記載のソファベッドに関して、上記関節部を、上記座部クッション体を形成する表張材及び発泡弾性部材を二分割するとともに、上記二分割された表張材のみを継ぎ合せし、これら二分割されたそれぞれの座部クッション体の基礎となる芯材のところにヒンジ機構を設け、当該ヒンジ機構を形成する一方のプレート側にその一端が取付けられるとともに、もう一方の端部が二つの座部クッション体の、それぞれの表張材の上記継ぎ合せ部のところに取付けられる弾性ストラップを設けるようにした構成を採ることとした。
【０００７】
次に、請求項３記載の発明である第三の発明においては、請求項１記載のソファベッドに関して、上記ロック機構を、上記ベースフレームの縦壁部のところに設けられるものであって係合部を形成する係合フックと、当該係合フックと係合するものであって、上記座部フレームの縦壁部のところに設けられるとともに上記係合フックの一部をはさみ込むように作動する把持爪と、当該把持爪に所定の把持力を付与するアクチュエータと、当該アクチュエータによる上記把持爪への把持力を解放させるように作動するプランジャと、当該プランジャのところに設けられるものであって当該プランジャに所定のバネ反力を付与するスプリングと、上記プランジャの一端側に設けられるものであって操作者の手指にての操作が可能なように形成されるプッシュボタンと、からなるようにした構成を採ることとした。
【発明の効果】
【０００８】
請求項１記載の発明である第一の発明のものにおいては、通常時においては複数の者が横に並んだ状態で着座することのできるソファを提供することができる。そして、場合によっては、上記座部クッション体の一方の端部を引き出すことによって座部クッション体を延伸させるようにする。これによって、引き延ばされた座部クッション体にてベッド面が形成されることとなる。すなわち、上記引き延ばされた座部クッション体をもってソファからベッドに変換させることができることとなる。これによって、例えば病院等において、付き添い者等が臨時にベッドとして用いることができ、このベッドにて仮眠を取ることができるようになる。
【０００９】
次に、請求項２記載の発明である第二の発明のものにおいては、座部クッション体の長手方向の一部のところに、折り曲げの自由な関節部を設けるようにしたので、この関節部を基点にして座部クッション体の一部を折り曲げたり、あるいは元の状態に延伸させたりすることができるようになる。そして、このような関節部を介しての折り曲げ状態時において、二分割された発泡弾性部材の各端部のところは所定の空間部を形成するように切欠かれており、この空間部内にはゴムベルト等からなる弾性ストラップが設けられるようになっているので、上記折り曲げ部のところに設けられる表張材及び発泡弾性部材等は上記空間部内に収まることとなる。その結果、上記表張材及び発泡弾性部材等は表面にはみ出したりするようなことが無くなり、折り曲げ部は、きれいな直角面を形成することとなる。また、一旦折り曲げられたものを延伸させた場合において、上記折り曲げられたところには凹陥部等は生じないようになる。すなわち、折り曲げによって生じた凹陥部等は迅速に元の状態へと復元されることとなる。その結果、ソファの状態からベッドの状態に転換された場合において、ベッド面は凹凸の無い滑らかな平面となる。
【００１０】
次に、請求項３記載の発明である第三の発明のものにおいては、ベースフレームと座部フレームとの間にロック機構が設けられており、このロック機構の作動により、通常は、座部フレームは移動したりしないようになっている。従って、安定した、安全なソファが提供されることとなる。一方、場合によっては、ロック機構を形成するプッシュボタンを操作者の手指等にて操作（押す）ことによって、ロック機構のロック機能は瞬時に解除されることとなる。このようにロック機能が解除された状態において、座部フレームの一端を引っ張ることによって座部フレームはベースフレームのところから引き出され、座面は延長されることとなる。このようにして、ベッドとしての着床面が確保されることとなる。このように、本発明のものにおいては、一瞬にしてソファの状態からベッドの状態へと転換させることができる。すなわち、緊急時におけるソファからベッドへの変換（転換）が迅速に、かつ、円滑に行なわれることとなる。
【図面の簡単な説明】
【００１１】
【図１】本発明におけるソファの状態を示す立面図である。
【図２】本発明においてソファからベッドへの転換状態を示す図である。
【図３】本発明の主要部を成す座部クッション体のソファからベッドへの転換態様を示す図である。
【図４】本発明におけるロック機構の作動態様を示す図である。
【図５】本発明におけるベッド態様に変換された状態を示す立体斜視図である。
【発明を実施するための形態】
【００１２】
本発明を実施するための形態について、図１ないし図５を基に説明する。本実施の形態にかかるものは、通常は多数の者が着座することのできる椅子（ソファ）を形成するとともに、場合によってはベッドにも展開させることのできるようにしたソファベッドに関するものである。具体的には、図１または図２に示す如く、所定の長さの水平部５１を有するものであって、その水平部５１のところに転動輪からなる複数のローラ５５を有するベースフレーム５と、当該ベースフレーム５上に設けられるものであって、縦断面形態がＬ字状の形態からなるとともに、当該Ｌ字状断面形態を形成する水平部２１のところが上記ベースフレーム５に設けられたローラ５５上を水平移動することのできるように形成された座部フレーム２と、当該座部フレーム２を形成する水平部２１の一方の端部側に形成される縦壁部２２のところに設けられるものであって、上記ベースフレーム５の縦壁部５２に設けられた係合部（係合フック）５６と係合するように形成されたロック機構６と、からなるものである。
【００１３】
このような基本構成からなるものにおいて、上記ベースフレーム５の一方の側面部のところには衝立状の形態からなる背もたれパネル７が設けられるようになっている。また、上記ベースフレーム５の一方の端部側には、所定のクッション体８が設置され、これらとともにアームレストの役目をも果たす肘掛けパネル８１が設けられるようになっている。そして更に、このような座部フレーム２上には座部クッション体１が設置されるようになっている。この座部クッション体１は、所定の発泡弾性部材にて形成されるとともに、その長手方向所定個所において、例えば図３に示すように直角状に折り曲げることの可能なように形成された関節部１６を有するようになっているものである。そして、また、上記背もたれパネル７のところには、所定の発泡弾性部材にて形成されるクッション体３が通常は背もたれクッション体として設置されるようになっている。また、このクッション体（背もたれクッション体）３は場合によっては、例えば図５に示す如く、上記座部クッション体１上の適宜個所にも配置され、枕を形成する場合もある。このようにしてベッドが形成されることとなる。
【００１４】
次に、このような構成からなる座部クッション体１の一部に形成される上記関節部１６の具体的構成について、図３を基に説明する。このものは、座部クッション体１を形成する表張材１１を除いたところに設けられる発泡弾性部材１２を基礎に形成されるものであって、これらが二分割されることによって形成される二つの座部クッション体を折れ曲がり可能なように継ぎ合せる、その連結部のところに形成されるようになっているものである。具体的には、二分割されたそれぞれの座部クッション体１、１の基板となる合板製の芯材１５、１５のところに設けられる二枚のヒンジプレート１６１、１６１と、これらヒンジプレート１６１、１６１のうちのいずれか一方のプレート側にその一端が取付けられるとともに、もう一方の端部が二つの座部クッション体１、１の、それぞれの表張材１１、１１の継ぎ合せ部１１１のところに取付けられるゴムバンドからなる弾性ストラップ１３と、からなるものである。このような関節部１６を基点にして座部クッション体１の一部を折り曲げたり、あるいは元の状態に延伸させたりすることができるようになっている。その結果、このような関節部１６を介しての折り曲げ状態、すなわち、通常のソファ状態（図１、図３（Ａ））から、次のベッドの状態（図５、図３（Ｃ））へと円滑に転換することができる。具体的には、まず、図２に示す如く、座部フレーム１の一方の端部側に設けられるストラップ２９をもって操作者が座部フレーム２を引っ張る。これによって座部フレーム２は、図２（Ｂ）に示すように延伸された状態となる。なお、このような作業の前にロック機構６のロック状態を解放させておく必要がある。
【００１５】
このような関節部１６の具体的な展開運動について述べる。まず、図３の（Ａ）に示すような直角に折れ曲がった状態から、次の（Ｂ）に示す如く、二枚のヒンジプレート１６１、１６１を主に形成される関節部１６のピボット点（Ｏ１６）を支点にしての展開運動が進められることとなる。そして、最終的には図３（Ｃ）に示す如く、蝶番を形成する二枚のヒンジプレート１６１、１６１が水平状態に１８０°開いた状態となる。これによって、上記蝶番を形成する各ヒンジプレート１６１、１６１上に取付けられた二分割された各座部クッション体１の、それぞれの部分は、図３（Ａ）の状態から図３（Ｃ）状態へと転換されることとなる。なお、このような転換移動に際して、蝶番機構にて形成される上記関節部１６の周りは、例えば図３（Ｂ）、（Ｃ）に示す如く、二分割された発泡弾性部材１２、１２の各端部のところが所定の空間部を形成するように切欠かれており、この空間部内にはゴムベルト等からなる弾性ストラップ１３が設けられるようになっているので、上記折り曲げ部のところに設けられる表張材１１及び発泡弾性部材１２等は上記空間部内に収まることとなる。その結果、上記表張材１１の継ぎ合せ部１１１のところが表面にはみ出したりするようなことが無い。従って、上記折り曲げ部は、きれいな直角面（図３（Ａ）参照）を形成することとなる。また、一旦折り曲げられたものを延伸させた場合において、上記折り曲げられたところには、例えば図３（Ｃ）に示す如く、凹みや皺等は生じないようになる。すなわち、折り曲げによって生じた凹み等は迅速に元の状態へと復元されることとなる。その結果、ソファの状態からベッドの状態に転換された場合において、ベッド面は凹凸の無い滑らかな平面となる。
【００１６】
次に、上記座部フレーム２の延伸作動を規制するロック機構６について説明する。このロック機構６は、例えば図２に示す上記座部フレーム２の縦壁部２２のところに設けられるものである。具体的には、図４に示す如く、ベースフレーム５の縦壁部５２のところに設けられるものであって係合部を形成する係合フック５６と、当該係合フック５６と係合するものであって、上記係合フック５６の一部をはさみ込むように作動する把持爪６１及び受け部６２と、上記把持爪６１に所定の把持力を付与するものであって主にコイルスプリング等にて形成されるアクチュエータ６３と、当該アクチュエータ６３による上記把持爪６１への把持力を解放させるように作動するレバー６４のところに所定の力を付与するプランジャ６５と、当該プランジャ６５のところに設けられるものであって当該プランジャ６５を元の位置に戻すよう所定の力を付与するスプリング６７と、上記プランジャ６５の一端側に設けられるものであって操作者の手指にての操作が可能なように形成されるプッシュボタン６６と、からなるものである。
【００１７】
このようなロック機構６をベースフレーム５と座部フレーム２との間に設けることによって、通常は、このロック機構６の作動により座部フレーム２は移動したりするようなことがない。従って、安定した、安全なソファが提供されることとなる（図１参照）。一方、病院等において患者の付き添い者が仮眠を取る場合等においてベッドへと転換させたい場合がある。このような場合において、まず、上記ロック機構６を形成するプッシュボタン６６を操作者の手指等にて操作（押す）ことによって、ロック機構６のロック機能が解除される（図４（Ｂ）参照）。このようにしてロック機能が解除された状態において、座部フレーム２の一端側に設けられたストラップ２９を引っ張ることによって座部フレーム２はベースフレーム５のところから引き出され、座面は延長されることとなる（図２（Ｂ）参照）。このようにして、例えば図５に示す如く、ベッドとしての着床面が確保されることとなる。このように、本願発明のものにおいては、一瞬にしてソファの状態からベッドの状態へと転換させることができる。すなわち、ソファからベッドへの変換（転換）が、迅速に、かつ、円滑に行なわれることとなる。
【符号の説明】
【００１８】
１  座部クッション体
１１  表張材
１１１  継ぎ合せ部
１２  発泡弾性部材
１３  弾性ストラップ
１６  関節部
１６１  ヒンジプレート
１５  芯材
２  座部フレーム
２１  水平部
２２  縦壁部
２９  ストラップ
３  クッション体
５  ベースフレーム
５１  水平部
５２  縦壁部
５５  ローラ
５６  係合フック
６  ロック機構
６１  把持爪
６３  アクチュエータ
６４  レバー
６５  プランジャ
６６  プッシュボタン
６７  スプリング
７  パネル
８  クッション体
８１  肘掛けパネル
【図１】
0006587445.tif 000002
【図２】
0006587445.tif 000003
【図３】
0006587445.tif 000004
【図４】
0006587445.tif 000005
【図５】
0006587445.tif 000006